(57)【要約】【課題】自動車を運転する場合左右前輪附近又は走行時前方トラック等が走行していた場合前方トラック等左側は目で確認出来ない。【解決手段】ドアミラーの車体側に前方方向確認ドアミラーを取り付ける事により車左右前輪附近及び左側前方歩行トラック等の左側が前方方向確認ドアミラーの位置より確認出来る。【選択図】図１
2014040229.tif 000002
【特許請求の範囲】
【請求項１】
ドアミラーの車体側に反射用鏡をドアミラー側と車体側に２枚を相対して固定し前記車体側の反射用鏡は反射面が凸面である事を特徴とする前方方向確認ドアミラー。
【請求項２】
前記ドアミラーは本体のドアミラー側に取り付ける鏡として凸面鏡を使用出来る事を特徴とする請求項１に記載の前方方向確認ドアミラー。
【請求項３】
前記車体右側に配置するドアミラーに使用する反射鏡は凸面鏡の曲面をきつくする事を特徴とする請求項１又は請求項２に記載の前方方向確認用ドアミラー。
【請求項４】
前記車体右側に配置するドアミラーに使用する反射鏡は相対する２枚の鏡の下部の縦間隔の幅を広くする事を特徴とする請求項１〜請求項３のいずれか１項に記載の前方方向確認ドアミラー。
【請求項５】
前記ドアミラーが取付けてあるドアミラーベースに設けられる格納モーター及び格納ベースは、車後部側に取付ける事を特徴とする請求項１〜４のいずれか１項記載の前方方向確認ドアミラー。
【発明の詳細な説明】
【技術分野】
【０００１】  本発明は自動車用ドアミラーにおいて側面前方及び車左前方が確認出来る様、ドアミラー車体側に前方確認用ミラーを設ける前方方向確認ドアミラーに関するものである。
【背景技術】
【０００２】  車を運転する際、左右前輪附近は目視できず運転手の感だけでハンドル操作を行っている、又前方を走行している車の左側は確認できない。【０００３】  ドアミラーにプリズム、鏡等を取り付けた物があるが左右反対の像が写ると共に写る写像が小さい。【０００４】  車種によってはドアミラーは取付ベースの中央に格納モーターで取り付けてある。
【先行技術文献】
【特許文献】
【０００５】
【特許文献１】  特開平９−３０１０７３
【特許文献２】  特開平１１−９９８８２
【特許文献３】  実用新案登録第３１１４０６５号
【特許文献４】  得開２００９−１８４６５２
【発明の概要】
【発明が解決しようとする課題】
【０００６】  車を運転する時、左右前輪タイヤ附近は目で確認できず感だけで運転している、又前方を走行しているトラック等で視界が遮られている場合トラック等の左前方が確認出来ないので、ドアミラーの車体側に前方方向確認用ミラーを取り付ける事により、左右前輪タイヤ附近、又前を走行しているトラック等の左前方附近が確認でき前途の欠点を解決しようとするものである。
【課題を解決するための手段】
【０００７】  本発明はドアミラーの車体側に曲面鏡２枚を相対して固定し、運転手の視線は覗き窓を通り第２鏡を反射し第１鏡を反射、前部視認用窓を通り前方が視認出来る、第２鏡は車種によって構造が違うので凸面鏡に変更する事が出来る、第１鏡は車体前輪付近と車前方の視認を必要とするので第１鏡は凸面鏡を使用し、凸面鏡の車後部側下部は縦曲面をきつくして車前輪タイヤ附近が、上部は曲面を少なくする事で車前方が視認出来る、又右側の前方方向確認ドアミラーについては車前輪附近の視認が主に必要なので、第１鏡の凸面鏡の曲面をきつくするか、相対する第１鏡と第２鏡下部の間隔の幅を広くする事により右側前輪附近が視認出来る。
【発明の効果】
【０００８】  本発明はドアミラーの車体側に取り付ける事でドアミラーとの確認が目の移動だけで楽にでき、又写る像も見た状態と同じ実像で写り、前輪タイヤ附近そして前方確認用ミラーの位置での前方トラック等の左前方附近の状態が確認出来る。
【図面の簡単な説明】
【０００９】
【図１】  本発明の自動車上部から見た運転手の視線・視認位置を示す図
【図２】  本発明の自動車左側面から見た運転手の視線・視認位置を示す図
【図３】  本発明の自動車右側面から見た運転手の視線・視認位置を示す図
【図４】  本発明の自動車左側前方方向確認ドアミラー上部から見た内部の構成図
【図５】  本発明の自動車左側前方方向確認ドアミラー上部から見た内部の下部図
【図６】  本発明の自動車左側前方方向確認ドアミラーを後部から見た図
【図７】  本発明の自動車右側前方方向確認ドアミラーを後部から見た図
【図８】  本発明自動車左側の前方確認用ドアミラーの上部から見た視線、視認構成図
【図９】  本発明自動車左側の前方確認用ドアミラーの側面から見た視線、視認構成斜向図
【図１０】  本発明自動車右側の前方確認用ドアミラーの側面から見た視線、視認構成斜向図
【図１１】  本発明自動車の前方確認用ドアミラーの鏡配置図
【発明を実施するための形態】
【００１０】  自動車用ドアミラーの車体側に覗き窓を作り、内部に鏡を２枚相対して固定することで運転手の確認もドアミラーとの目の移動だけででき、写像も正像に写る、又ドアミラー側の鏡は平面鏡が倍率ではっきり良く見え望ましいが、覗き窓が構造上狭くなる場合等は凸面鏡を使用することで見える写像を広く写す、又車体側の鏡は凸面鏡を使用し、鏡の下側は縦の曲線をきつくすることで前輪タイヤ附近が視認でき、鏡の上側は縦、横の曲線を少なくすることで車左側前方方向が良く視認できる、そして前輪附近だけ視認が必要な場合は車体側の鏡の縦の曲面をきつくするか、２枚の鏡の下部間隔の幅を広くすることで前輪タイヤ附近が視認できる、又ドアミラーの取付けで格納モーター及び格納ベースを車後部側に取り付ける事により２枚の鏡の取付けスペースが広くなり取付けが容易となる。
【００１１】  以下、本発明の実施の形態を図１〜図１１に基づいて説明する。
【００１２】  図１は運転手から見た視線Ａ、Ｄでドアミラー本体１の車体側に取り付けた前方方向確認ドアミラーで見る車前方左右の視認Ｂ、Ｅである。
【００１３】  図２は運転手左側視線Ａから見た左側前方方向確認ドアミラーの車前方左側側面上下の視認Ｃである。
【００１４】  図３は運転手右側視線Ｄから見た右側前方方向確認ドアミラーの車前方右側側面上下の視認Ｆである。
【００１５】  図４は自動車左側の前方方向確認ドアミラーの上部から見た内部構成図で運転手左側視線Ａはドアミラー本体１の車体側にある覗き窓１０を通り固定してある第２鏡８で反射しそれが相対して固定で取り付けてある第１鏡７で反射し前部視認用窓９を通り車前方左側左右の視認Ｂと車前方左側側面上下の視認Ｃが出来る、又前部視認用窓９は第１鏡７の前部と下部を覆うと伴に、覗き窓１０と同じ歪みのない透明度の良いガラス等を使用する。
【００１６】  図５は自動車左側前方方向確認ドアミラーの上部から見た内部の下部図でドアミラーベース６は第１鏡７の曲面に合わせて車前方左側側面上下の視認Ｃを妨げない様作成する又、取付けベース３に取付けてあるドアミラーベース６の取付けは格納モーター５及び格納ベース４を車後部側に取付ける、又取付けベース３は、格納モーター５等を車後部側に取付けるので合わせて車後部側に取付ける事により覗き窓１０の広さが広くとれる、又第１遮へい板１１及び第２鏡遮へい板１２はゴミ等が前方方向確認ドアミラー内に入らない様にする為である。
【００１７】  図６は自動車左側の前方方向確認ドアミラーを車後部から見た図で自動車本体に取り付ける取付ベース３に格納用モーター５でドアミラーベース６は制御固定される又、格納ベース４は動作を安定さす。
【００１８】  図７は自動車右側の前方方向確認ドアミラーを車後部から見た目で内部構造は図６の逆である。
【００１９】  図８は自動車左側の前方確認用ドアミラーの第２鏡８と第１鏡７の上部から見た視線・視認図で、Ａは覗き窓が広くとれる場合で第２鏡８は平面鏡を使用、第１鏡７は凸面鏡を使用する、又車前方側の横の曲線を少なくするか又は無くす、Ｂは覗き窓が広くとれない場合で第２鏡８は凸面鏡を使用し覗き窓が狭い分だけ写像を広く写す、Ａ・Ｂ共第２鏡８に視線Ａが入り反射し第１鏡７に反射して車前方左側左右及び車左前方の視認Ｂとなる。
【００２０】  図９は自動車左側の前方確認用ドアミラーの第２鏡８と第１鏡７の横から見た視線・視認構成斜向図で、運転手左側視線Ａは第２鏡８に反射され第１鏡７で反射し車前方左側面上下の視認Ｃとなる、第２鏡８は構造上上下の寸法を短くするときは下部の縦の曲線をきつくし、又車前方左側面上下の視認Ｃは第１鏡７の縦の曲線をきつくする事でタイヤ下部迄で視認できる、又前方視認を必要とするならば第２鏡８及び第１鏡７の上部は縦・横共曲線を入れない様に、又構造的に覗き窓が広くとれる場合は第２鏡８は平面鏡を使用する。
【００２１】  図１０は自動車右側の前方確認用ドアミラーの運転手右側視線Ｄは第２鏡８に反射され第１鏡７で反射し車右側面前方上下の視認Ｆとなる、但し車右側面前方上下視認Ｆについてはタイヤ廻りが重要視されるので第１鏡７の縦の曲面をきつくするか、第２鏡８と第１鏡７の下部の縦の間隔の幅を広くする事でタイヤ下部迄視認できる。
【００２２】  図１１ａは自動車左側の前方方向確認ドアミラーで車後部から見た鏡の縦の図で第２鏡８に相対する第１鏡７はｆが縦の下側の曲線が小さい時、ｇは縦の下側の曲線をきつくした時の曲線図、同じくｂは第２鏡８が構造上縦の長さがとれない時は第２鏡の下部の曲線をきつくした時の曲線図、ｃは自動車右側の前方確認ドアミラーで第２鏡８に相対する第１鏡７の縦の図でｉは第１鏡の縦の曲線がきつい時、ｈは第２鏡８と第１鏡の下部の縦の間隔の幅を広げた図である、ｄは自動車左側の前方方向確認ドアミラーの上部から見た鏡の横の図で覗き窓が広くとれる時は第２鏡８は平面鏡を第１鏡７は曲面鏡を使用する、ｅはｄと同じ方向から見た図で覗き窓が広くとれない時は第２鏡８は曲面鏡を使用し写像を広く写す、又ｄ、ｅ共通で第１鏡７の車前部側の曲線は小さくする事で車の前方方向をはっきりと写す事が出来る。
【産業上の利用性能】
【００２３】１  車線変更は前方にトラック等が走行していたら運転手の目では直接確認出来ないが前方方向確認ドアミラーの位置で確認出来る。
２  車で左右幅寄せの時目で直接確認出来る。
【符号の説明】
【００２４】Ａ  運転手左側視線
Ｂ  車前方左側左右の視認
Ｃ  車前方左側側面上下の視認
Ｄ  運転手右側視認
Ｅ  車前方左右の視認
Ｆ  車右側面前方上下の視認
１  ドアミラー本体
２  ミラー
３  取付ベース
４  格納ベース
５  格納モーター
６  ドアミラーベース
７  第１鏡
８  第２鏡
９  前部視認用窓
１０  覗き窓
１１  第１遮へい板
１２  第２遮へい板
【図１】
2014040229.tif 000003
【図２】
2014040229.tif 000004
【図３】
2014040229.tif 000005
【図４】
2014040229.tif 000006
【図５】
2014040229.tif 000007
【図６】
2014040229.tif 000008
【図７】
2014040229.tif 000009
【図８】
2014040229.tif 000010
【図９】
2014040229.tif 000011
【図１０】
2014040229.tif 000012
【図１１】
2014040229.tif 000013
【手続補正書】
【提出日】平成24年12月1日(2012.12.1)
【手続補正１】
【補正対象書類名】特許請求の範囲
【補正対象項目名】全文
【補正方法】変更
【補正の内容】
【特許請求の範囲】
【請求項１】
ドアミラーの車体側に反射鏡をドアミラー側と車体側に２枚を相対して固定し、前記車体側の反射鏡は反射面が縦の曲面も有する凸面であることを特徴とする前方方向確認ドアミラー。
【請求項２】
前記ドアミラーは本体のドアミラー側に取り付ける反射鏡として凸面鏡を使用出来る事を特徴とする請求項１に記載の前方方向確認ドアミラー。
【請求項３】
前記ドアミラーに使用する反射鏡は、凸面鏡の縦の曲面を運転手が前輪を視認出来るほどにきつくする事を特徴とする請求項１又は請求項２に記載の前方方向確認ドアミラー。
【請求項４】
前記ドアミラーに使用する反射鏡は、相対する２枚の鏡の下部の縦間隔の幅を運転手が前輪を視認出来るほどに広くする事を特徴とする請求項１〜請求項３のいずれか１項に記載の前方方向確認ドアミラー。
【請求項５】
前記ドアミラーが取付けてあるドアミラーベースに設けられる格納モーター及び格納ベースは、車後部側に取付けることを特徴とする請求項１〜請求項４のいずれか１項記載の前方方向確認ドアミラー。
【手続補正書】
【提出日】平成25年2月8日(2013.2.8)
【手続補正１】
【補正対象書類名】明細書
【補正対象項目名】０００５
【補正方法】変更
【補正の内容】
【０００５】
【特許文献１】特開平９−３０１０７３
【特許文献２】特開平１１−９９８８２
【特許文献３】実用新案登録第３１１４０６５号
【特許文献４】特開２００９−１８４６５２
【手続補正２】
【補正対象書類名】特許請求の範囲
【補正対象項目名】全文
【補正方法】変更
【補正の内容】
【特許請求の範囲】
【請求項１】
ドアミラーの車体側に反射鏡をドアミラー側と車体側に２枚を相対して固定し、前記車体側の反射鏡は反射面が縦の曲面も有する凸面であり前部と下部が開放されて視認可能に構成されていることを特徴とする前方方向確認ドアミラー。
【請求項２】
前記ドアミラーは本体のドアミラー側に取り付ける反射鏡として凸面鏡を使用出来る事を特徴とする請求項１に記載の前方方向確認ドアミラー。
【請求項３】
前記ドアミラーに使用する反射鏡は、凸面鏡の縦の曲面を運転手が前輪を視認出来るほどにきつくする事を特徴とする請求項１又は請求項２に記載の前方方向確認ドアミラー。
【請求項４】
前記ドアミラーに使用する反射鏡は、相対する２枚の鏡の下部の縦間隔の幅を運転手が前輪を視認出来るほどに広くする事を特徴とする請求項１〜請求項３のいずれか１項に記載の前方方向確認ドアミラー。
【請求項５】
前記ドアミラーが取付けてあるドアミラーベースに設けられる格納モーター及び格納ベースは、車後部側に取付けることを特徴とする請求項１〜請求項４のいずれか１項記載の前方方向確認ドアミラー。
【手続補正書】
【提出日】平成25年6月9日(2013.6.9)
【手続補正１】
【補正対象書類名】特許請求の範囲
【補正対象項目名】全文
【補正方法】変更
【補正の内容】
【特許請求の範囲】
【請求項１】
ドアミラーの車体側に反射鏡をドアミラー側と車体側に２枚を相対して固定し、前記車体側の反射鏡は反射面が縦の曲面も有する凸面であり前部と下部が開放されて車の側面前方・前輪タイヤの下部及びドアミラーの下部迄が視認可能に構成されていることを特徴とする前方方向確認ドアミラー。
【請求項２】
前記ドアミラーは本体のドアミラー側に取り付ける反射鏡として凸面鏡を使用出来る事を特徴とする請求項１に記載の前方方向確認ドアミラー。
【請求項３】
前記ドアミラーに使用する反射鏡は、凸面鏡の縦の曲面を運転手が前輪を視認出来るほどにきつくする事を特徴とする請求項１又は請求項２に記載の前方方向確認ドアミラー。
【請求項４】
前記ドアミラーに使用する反射鏡は、相対する２枚の鏡の下部の縦間隔の幅を運転手が前輪を視認出来るほどに広くする事を特徴とする請求項１〜請求項３のいずれか１項に記載の前方方向確認ドアミラー。
【請求項５】
前記ドアミラーが取付けてあるドアミラーベースに設けられる格納モーター及び格納ベースは、車後部側に取付けることを特徴とする請求項１〜請求項４のいずれか１項記載の前方方向確認ドアミラー。